(57)【要約】【課題】セードを器具本体に確実、かつ、容易に取り付けることができる照明器具のセード取付構造を提供することを目的とする。【解決手段】取付面に固定される器具本体２と、器具本体２に対して回動可能に取り付けられ、器具本体２に密着されるセード３とを備えてなる照明器具１のセード取付構造であって、器具本体２は、器具本体２の軸心に沿って突出され、鉛直方向に摺動可能に取り付けられたボルト２３ｂと、ボルト２３ｂの先端に設けられたナット２３ｄと、ボルト２３ｂを取付面方向に付勢するバネ２３ｃとが設けられ、セード３の開口部３ａには、ナット２３ｄが挿入される大径孔３５ａと、セード３の回転方向に沿って大径孔３５ａより幅方向に小さい小径孔３５ｂとからなるダルマ孔３５が穿設された取付板３１が設けられている。【選択図】図２
2007280680.tif 000002
【特許請求の範囲】
【請求項１】
取付面に固定される器具本体２と、該器具本体２に対して回動可能に取り付けられ、該器具本体２に密着されるセード３とを備えてなる照明器具１のセード取付構造であって、
前記器具本体２は、該器具本体２の軸心に沿って突出され、鉛直方向に摺動可能に取り付けられた軸部材２３ｂと、該軸部材２３ｂの先端に設けられた係止具２３ｄと、該軸部材２３ｂを取付面方向に付勢する弾性部材２３ｃとが設けられ、
前記セード３の開口部３ａには、前記係止具２３ｄが挿入される大径孔３５ａと、該セード３の回転方向に沿って該大径孔３５ａより幅方向に小さい小径孔３５ｂとからなる取付孔３５が穿設された取付板３１が設けられ、
前記セード３は、前記取付孔３５の大径孔３５ａに前記係止具２３ｄが挿入された状態で、該係止具２３ｄが前記小径孔３５ｂの端部まで移動するように回動され、該係止具２３ｄと該器具本体２との間に前記取付板３１が挟まれることで該器具本体２に取り付けられることを特徴とする照明器具１のセード取付構造。
【請求項２】
前記取付板３１は、前記器具本体２に対する前記セード３の回動方向を規制する回動制限手段３６を備えることを特徴とする請求項１に記載の照明器具１のセード取付構造。
【請求項３】
前記器具本体２は、前記セード３が取り付けられる際に、前記取付板３１に開口された開口部３１ａに当接して該セード３の水平方向位置を規制するガイド手段２４を備えることを特徴とする請求項１または請求項２に記載の照明器具１のセード取付構造。
【請求項４】
前記取付板３１は、前記セード３の中心方向に凹となるように形成されることを特徴とする請求項１から請求項３までのいずれか一項に記載の照明器具１のセード取付構造。
【発明の詳細な説明】
【技術分野】
【０００１】
本発明は、照明器具のセード取付構造に関し、より詳細には、取付面に固定される器具本体と、該器具本体に対して回動可能に取り付けられ、器具本体に密着されるセードとを備えてなる照明器具のセード取付構造に関する。
【背景技術】
【０００２】
従来、照明器具のセード取付構造に関する技術は公知となっている。例えば、特許文献１に記載のとおりである。
特許文献１には、天井に埋め込み固定されている器具本体の開口鍔部の下面に、反射板を直接取り付ける埋込型照明器具が開示されている。この取付構造は、器具本体の折り曲げ部に設けられたネジ取付用孔と反射板に設けられたダルマ形の取付孔とを一致させて、ネジにより本体と反射板とを固定することにより、器具本体への反射板の取り付けを容易にしようとするものである。
【特許文献１】実開昭５３−４９２６９号公報
【発明の開示】
【発明が解決しようとする課題】
【０００３】
しかし、特許文献１に開示されている取付構造では、器具本体と反射板とを固定しているネジが緩んでしまって、器具本体と反射板との間に隙間が生じて反射板ががたついたり、さらには、反射板が器具本体から外れたりする場合があった。
また、天井に埋め込み固定されている器具本体に反射板を取り付ける作業は不安定な高所での作業となるため、上述した取付構造では、手狭な反射板の内部に手を入れてネジを締め付けて反射板を器具本体に取り付ける必要があり、セードの取付作業の作業性が悪かった。
【０００４】
本発明は以上の状況に鑑み、セードを器具本体に確実、かつ、容易に取り付けることができる照明器具のセード取付構造を提供することを目的とする。
【課題を解決するための手段】
【０００５】
本発明の解決しようとする課題は以上のとおりであり、次にこの課題を解決するための手段を説明する。
【０００６】
すなわち、請求項１においては、
取付面に固定される器具本体２と、該器具本体２に対して回動可能に取り付けられ、該器具本体２に密着されるセード３とを備えてなる照明器具１のセード取付構造であって、
前記器具本体２は、該器具本体２の軸心に沿って突出され、鉛直方向に摺動可能に取り付けられた軸部材２３ｂと、該軸部材２３ｂの先端に設けられた係止具２３ｄと、該軸部材２３ｂを取付面方向に付勢する弾性部材２３ｃとが設けられ、
前記セード３の開口部３ａには、前記係止具２３ｄが挿入される大径孔３５ａと、該セード３の回転方向に沿って該大径孔３５ａより幅方向に小さい小径孔３５ｂとからなる取付孔３５が穿設された取付板３１が設けられ、
前記セード３は、前記取付孔３５の大径孔３５ａに前記係止具２３ｄが挿入された状態で、該係止具２３ｄが前記小径孔３５ｂの端部まで移動するように回動され、該係止具２３ｄと該器具本体２との間に前記取付板３１が挟まれることで該器具本体２に取り付けられるものである。
【０００７】
請求項２においては、
前記取付板３１は、前記器具本体２に対する前記セード３の回動方向を規制する回動制限手段３６を備えるものである。
【０００８】
請求項３においては、
前記器具本体２は、前記セード３が取り付けられる際に、前記取付板３１に開口された開口部３１ａに当接して該セード３の水平方向位置を規制するガイド手段２４を備えるものである。
【０００９】
請求項４においては、
前記取付板３１は、前記セード３の中心方向に凹となるように形成されるものである。
【発明の効果】
【００１０】
本発明の効果として、以下に示すような効果を奏する。
【００１１】
請求項１においては、器具本体２からセード３を容易に着脱できるとともに、セード３が器具本体２に確実に取り付けられるため、隙間やがたつきの発生がなく、セード３が器具本体２から外れるのを防止できる。
【００１２】
請求項２においては、器具本体２に取り付けられているセード３が、意図せずに回動してセード３が器具本体２から外れるのを防止できる。
【００１３】
請求項３においては、大径孔３５ａに係止具２３ｄを容易に挿入することができ、セード３の取付作業の作業効率を向上できる。
【００１４】
請求項４においては、凹状に形成されている取付板３１により、セード３で器具本体２を被覆することができるため、器具本体２が露出せず、照明器具１の美観に優れ、デザイン性を向上できる。
【発明を実施するための最良の形態】
【００１５】
次に、発明を実施するための最良の形態を説明する。
【００１６】
本実施例に係るセード取付構造を備える照明器具１は、天井等の取付面に直接取り付けられるものであり、図１に示すように器具本体２と、セード３とを具備してなる。照明器具１は、セード取付構造を構成する一対の取付ユニット２３・２３と、ダルマ孔３５・３５とを備えており、器具本体２に備える一対の取付ユニット２３・２３がセード３に備える一対のダルマ孔３５・３５に挿入された状態で、セード３が所定方向に回動されて、器具本体２にセード３が取り付けられる。なお、本実施例においては、照明器具１を天井に取り付けた状態について説明し、図２において矢印方向を上下方向とする。
【００１７】
器具本体２は、側面視略円錐台であって、上下略平行に配置された平面部２１・２２が設けられ、下平面部２２が上平面部２１よりも径が小さく形成されており、上平面部２１が天井等の取付面に取り付けられる。器具本体２の形状は、後述するセード３の取付板３１の形状と略一致するように形成されている。下平面部２２の略中央部には、ランプ２６が差し込まれるソケット２５が垂設されており、ソケット２５は、器具本体２内に収納されているコードを介して図示せぬ電源に接続されている。
下平面部２２には、セード取付構造を構成する一対の取付ユニット２３・２３が、器具本体２の中心軸に対して線対称の位置に設けられている。なお、取付ユニット２３・２３は、それぞれ略同一であるため、以下、特に断りのない限り、一方の取付ユニット２３の構成について説明する。
【００１８】
取付ユニット２３は、図２、図４および図５に示すようにケース２３ａと、軸部材であるボルト２３ｂと、弾性部材であるバネ２３ｃと、係止具であるナット２３ｄ等とで構成されている。
ケース２３ａは、上端が開放された内部中空の筒状部材であり、下端周縁にフランジ部２３ｅが形成されている。このケース２３ａは、下平面部２２に設けられた取付孔部に下方より挿入されて、フランジ部２３ｅが下平面部２２に当接した状態で固定されている。また、ケース２３ａの内部には、ボルト２３ｂが内挿されており、先端がフランジ部２３ｅの中心部からケース２３ａ外方に突出されている。
ボルト２３ｂは、頭部がケース２３ａの上端に位置し、先端がケース２３ａの底面（フランジ部２３ｅ）から器具本体２の軸中心Ａと平行に突出され、鉛直方向に摺動可能に取り付けられている。具体的には、ボルト２３ｂの頭部とケース２３ａの底面（フランジ部２３ｅ）との間には、バネ２３ｃが外嵌されるとともに、ボルト２３ｂの先端には、ナット２３ｄが螺設されている。このように、ボルト２３ｂは、バネ２３ｃがボルト２３ｂの頭部とフランジ部２３ｅとの間に配置されることで、上述した取付面方向（図２において上矢印方向）に付勢されており、さらにバネ２３ｃが弾性変形することで偏心することなく鉛直方向に上下摺動可能とされている。
ナット２３ｄは、ボルト２３ｂがバネ２３ｃにより取付面方向に付勢されているため、上面がケース２３ａの下面に押圧され、ボルト２３ｂの上下摺動に連動して鉛直方向に上下摺動される。また、ナット２３ｄの上端角部は、全周にわたってテーパー状に形成されている。
なお、ボルト２３ｂを支持する手段としては、ケース２３ａを下平面部２２と別体に形成する場合に限らず、例えば、下平面部２２とケース２３ａとを一体に形成してもよい。
【００１９】
セード３は、半透過のものであり、平面視扁平球状に形成され、セード３を透過した光が天井下方へ出るように構成されている。セード３の上部には、平面視円形の開口部３ａが形成され、この開口部３ａに取付板３１が取り付けられている。
【００２０】
取付板３１は、図１から図３に示すように平面視円形であり、取付板３１の縁部を構成する平面視環状の第１取付部３２の内縁部から、取付板３１の中心方向にテーパー部３８が形成され、テーパー部３８に連続して第１取付部３２と同心円の第２取付部３３が形成されている。第２取付部３３の中央部には、ソケット２５が挿入される平面視円形の開口部３１ａが形成されている。そして、取付板３１は、テーパー部３８と第２取付部３３とにより、セード３の中心方向に向けて凹となるように形成されている。
本実施例の取付板３１は、前述したように器具本体２の形状と略一致するように形成されている。すなわち、器具本体２の下平面部２２の形状と、取付板３１の第２取付部３３の形状とが略同一形状に形成されて、器具本体２の高さ（上平面部２１の上面から下平面部２２の下面までの高さ）と、取付板３１の高さ（第１取付部３２の上面から第２取付部材３３の上面までの高さ）とが略一致するように形成されている。
また、第２取付部３３には、大径孔３５ａと小径孔３５ｂとからなる一対のダルマ孔３５・３５が、取付板３１の軸中心（器具本体２の軸中心Ａ）に対して対称な位置に穿設されている。なお、ダルマ孔３５・３５は、それぞれ略同一であるため、以下、特に断りのない限り、一方のダルマ孔３５の構成について説明する。
【００２１】
ダルマ孔３５は、ナット２３ｄが挿入される略真円形状の大径孔３５ａと、セードの回転方向に沿って大径孔３５ａより幅方向に小さい長孔形状の小径孔３５ｂとで構成されている。大径孔２３ａは、径がナット２３ｄよりも若干大きくなるように形成され、器具本体２のナット２３ｄの取付位置と、取付板３１の軸中心（器具本体２の軸中心Ａ）から半径方向に同一距離となる位置に穿設されている。小径孔３５ｂは、平面視において大径孔３５ａと連続された長孔に形成され、器具本体２のナット２３ｄの取付位置と、取付板３１の軸中心（器具本体２の軸中心Ａ）から半径方向に同一距離となる位置に、円周方向に沿って所定の長さで連続されている。そして、小径孔３５ｂは、大径孔３５ａより幅方向に小さくなるように、すなわち、ナット２３ｄが挿通不可能となるように形成されるが、ボルト２３ｂの軸部より幅方向に大きくなるように、すなわち、ボルト２３ｂが挿通可能なように形成されている。
【００２２】
また、本実施例の取付板３１には、小径孔３５ｂの端部に回動制限手段となる突起部３６・３６が形成されている。突起部３６・３６は、図３および図５に示すように小径孔３５ｂの端部の両側に配設され、取付板３１（第２取付部３３）の下面より垂直下方に突出されて、側面視半球状に突設されている。突起部３６・３６は、平面視においてナット２３ｄと重なる位置に配設されており、ナット２３ｄの上面に接触するように形成されている。
なお、本実施例においては、突起部３６・３６は、側面視半球状に突起するように形成されているがこれに限定するものではなく、突起部３６・３６は、第２取付部３３の下面に下方に突起するように形成されて、ナット２３ｄの上面が接触して、ナット２３ｄが乗り越えるように構成されていればよい。
【００２３】
また、器具本体２の下平面部２２の下面には、ガイド手段となるガイド部材２４・２４が垂設されている。
ガイド部材２４・２４は、一方のガイド部材２４と他方のガイド部材２４とが、同一円周上に平面視円弧状に形成されており、軸中心Ａに対して対称な位置に等間隔で配置されている。このガイド部材２４・２４は、図２に示すように上平面部２１から下端部までの上下方向長さが、同じく上平面部２１からナット２３ｄの下端部までの上下方向長さよりも長くなるように、換言すると、器具本体２にセード３が取り付けられた状態で、ガイド部材２４の下端部がナット２３ｄの下端部よりも下方に位置するように構成されている。
また、このガイド部材２４・２４は、器具本体２のセード３が取り付けられた状態で、取付板３１に開口された開口部３１ａに挿入される。具体的には、ガイド部材２４・２４の円弧径は、取付板３１の開口部３１ａの径よりも若干小さく構成されている。また、ガイド部材２４・２４を構成する円弧の周長は、ガイド部材２４・２４の外側面で開口部３１ａの端面を摺動可能に支持できるように構成されている。
このため、ガイド部材２４・２４を開口部３１ａに挿入して、ナット２３ｄと、大径孔３５ａとを同一半径上に位置させて、セード３と器具本体２との平面上の位置決めが容易であり、その後、開口部３１ａにガイド部材２４・２４を挿入した状態で、セード３を水平方向に回動させるだけで、大径孔３５ａ・３５ａとが平面視において重なる位置となるようにして、ナット２３ｄ・２３ｄと大径孔３５ａ・３５ａとを一致させることができる。
このような構成とすることで、器具本体２にセード３を取り付ける際には、ナット２３ｄが大径孔３５ａに挿入されるよりも前に、ガイド部材２４を開口部３１ａに挿入させることができ、ナット２３ｄを案内しながら大径孔３５ａへと挿入させることができる。
なお、本実施例においては、ガイド部材２４・２４は、平面視円弧状であり、一方のガイド部材２４と他方のガイド部材２４とが等間隔で配置されているが、ガイド部材２４は、これに限定するものではなく、例えば、平面視円形に形成してもよい。
【００２４】
本実施例のセード３の取付構造においては、次のようにして器具本体２にセード３が着脱される。
【００２５】
まず、セード３を器具本体２に取り付ける場合は、器具本体２の軸中心Ａとセード３の軸中心とを略一致させた状態から、器具本体２の下方からセード３を持ち上げ、セード３の取付板３１の開口部３１ａに、器具本体２のソケット２５とガイド部材２４・２４とを挿入させ、開口部３１ａの端面とガイド部材２４・２４の外側面とを摺動させながら、取付板３１の第２取付部３３の上面がナット２３ｄの下面に当接するまで上向（取付面の方向）に押し上げる。
次いで、セード３を水平方向に回動させて、ナット２３ｄ・２３ｄと大径孔３５ａ・３５ａとを平面視において一致させる。
その後、さらにセード３を上向に押し上げて、大径孔３５ａ・３５ａにナット２３ｄ・２３ｄを挿入させて、第２取付部３３の上面を器具本体２に当接させる。
かかる状態のまま、セード３を水平方向に回動させる。このとき、小径孔３５ｂと大径孔３５ａとの接続部分にナット２３ｄの上端角部が当接されると、バネ２３ｃの付勢力に抗してボルト２３ｂが下方に突出されて、ナット２３ｄが小径孔３５ｂと大径孔３５ａとの接続部分を乗り越える。そうすると、ナット２３ｄの上面が取付板３１（第２取付部３３）の下面に係止されて、ナット２３ｄの上面と下平面部２２の下面とで取付板３１（第２取付部３３）が挟持された状態となる（図５参照）。
このように、セード３は、ボルト２３ｂの上面と下平面部２２の下面とで取付板３１（第２取付部３３）が挟持された状態のままさらに回動される。やがて、突起部３６・３６がナット２３ｄの上端角部に当接されると、バネ２３ｃの付勢力に抗してボルト２３ｂが下方に突出されて、突起部３６・３６をナット２３ｄが乗り越える。
そして、小径孔３５ｂの端部がボルト２３ｂに当接するまでセード３を回動させることで、器具本体２にセード３が取り付けられる。
【００２６】
一方、セード３を器具本体２から取り外す場合は、セード３を器具本体２に取り付ける場合とは逆方向に水平方向に回動させると、ボルト２３ｂの上面と下平面部２２の下面とで取付板３１（第２取付部３３）が挟持された状態のままセード３が回転されて、やがて、突起部３６・３６にナット２３ｄの上端角部が当接され、バネ２３ｃの付勢力に抗してボルト２３ｂが下方に突出されて、突起部３６・３６をナット２３ｄが乗り越える。
さらに、ナット２３ｄ・２３ｄと大径孔３５ａ・３５ａとが平面視において一致する位置までセード３を回動させると、ナット２３ｄの上面と下平面部２２の下面とで取付板３１（第２取付部３３）が挟持された状態が解除される。
そして、セード３を器具本体２から軸中心Ａに沿って下向に引き抜くことで、器具本体２からセード３が取り外される。
【００２７】
以上のように、本実施例の照明器具１のセード取付構造は、取付面に固定される器具本体２と、器具本体２に対して回動可能に取り付けられ、器具本体２に密着されるセード３とを備えてなる照明器具１のセード取付構造であって、器具本体２は、器具本体２の軸心に沿って突出され、鉛直方向に摺動可能に取り付けられたボルト２３ｂと、ボルト２３ｂの先端に設けられたナット２３ｄと、ボルト２３ｂを取付面方向に付勢するバネ２３ｃとが設けられ、セード３の開口部３ａには、ナット２３ｄが挿入される大径孔３５ａと、セード３の回転方向に沿って大径孔３５ａより幅方向に小さい小径孔３５ｂとからなるダルマ孔３５が穿設された取付板３１が設けられ、セード３は、ダルマ孔３５の大径孔３５ａにナット２３ｄが挿入された状態で、ナット２３ｄが小径孔３５ｂの端部まで移動するように回動され、ナット２３ｄと器具本体２との間に取付板３１が挟まれることで器具本体２に取り付けられるものである。
このような構成とすることで、器具本体２からセード３を容易に着脱できるとともに、セード３が器具本体２に確実に取り付けられるため、隙間やがたつきの発生がなく、セード３が器具本体２から外れるのを防止できる。すなわち、本実施例では、セード３を、器具本体２に設けられた軸部材２３ｂ等からなるセード取付部材によって、器具本体２に引き付けられる方向（取付面の方向）に作用する付勢力によって取り付けることができるため、従来のセード３の取付構造に比べて、セード３を安定して位置固定することができる。
【００２８】
特に、本実施例の取付板３１は、器具本体２に対するセード３の回動方向を規制する突起部３６を備えているため、器具本体２に取り付けられているセード３が、意図せずに回動してセード３が器具本体２から外れるのを防止できる。
また、器具本体２は、セード３が取り付けられる際に、取付板３１に開口された開口部３１ａに当接してセード３の水平方向位置を規制するガイド部材２４・２４を備えているため、大径孔３５ａにナット２３ｄを容易に挿入することができ、セード３の取付作業の作業効率を向上できる。
さらに、取付板３１は、セード３の中心方向に凹となるように形成されているため、凹状に形成されている取付板３１により、セード３で器具本体２を被覆することができ、器具本体２が露出せず、照明器具１の美観に優れ、デザイン性を向上できる。
【図面の簡単な説明】
【００２９】
【図１】照明器具１を示した斜視図。
【図２】照明器具１を示した断面図。
【図３】取付板３１を示した平面図。
【図４】取付ユニット２３を示した断面図。
【図５】セード３を器具本体２に取り付けた状態の取付ユニット２３を示した断面図。
【符号の説明】
【００３０】
１    照明器具
２    器具本体
３    セード
３ａ    開口部
２３ｂ    ボルト
２３ｃ    バネ
２３ｄ    ナット
２４    ガイド部材
３１    取付板
３１ａ    開口部
３５    ダルマ孔
３５ａ    大径孔
３５ｂ    小径孔
３６    突起部
【図１】
2007280680.tif 000003
【図２】
2007280680.tif 000004
【図３】
2007280680.tif 000005
【図４】
2007280680.tif 000006
【図５】
2007280680.tif 000007